(57)【要約】【課題】載置面を所望の姿勢に容易に調整できると共に、特別な操作無く調整後の姿勢を保持できる携帯電気機器用充電台を提供する。【解決手段】アーム部３と、これに回転自在に連結され、携帯電気機器を載置するための載置面を形成した載置部４と、を備える。アーム部３は、載置部４を任意の姿勢で保持するための球状可動部５を内蔵しており、球状可動部５は、載置部４と球状可動部５とを連結するための連結軸６を固定した球状体７と、アーム部３の内面に固定され、球状体７の表面と面接触される球状受体８と、球状受体８と対向する位置に配置されて、球状体７の表面と面接触される押圧体９であって、球状受体８と押圧体９との間で球状体７を狭持することにより球状体７を保持する押圧体９と、押圧体９を載置部４側に押圧する弾性部材１１と、を備える。【選択図】図６
2008311851.tif 000002
【特許請求の範囲】
【請求項１】
携帯電気機器を充電するための充電台であって、
充電台を設置するための略平面の接触面を形成したベース部(2)と、
前記ベース部(2)の接触面の背面側から突出させたアーム部(3)と、
前記アーム部(3)と回転自在に連結され、携帯電気機器を載置するための載置面を形成した載置部(4)と、
を備え、
前記アーム部(3)は、前記載置部(4)を任意の姿勢で保持するための球状可動部(5)を内蔵しており、
前記球状可動部(5)は、
前記載置部(4)と球状可動部(5)とを連結するための連結軸(6)を固定した球状体(7)と、
前記アーム部(3)の内面に固定され、球状体(7)の表面と面接触される球状受体(8)と、
前記球状受体(8)と対向する位置に配置されて、球状体(7)の表面と面接触される押圧体(9)であって、前記球状受体(8)と押圧体(9)との間で球状体(7)を狭持することにより球状体(7)を保持する押圧体(9)と、
前記押圧体(9)を載置部(4)側に押圧する弾性部材(11)と、
を備えることを特徴とする携帯電気機器用充電台。
【請求項２】
請求項１に記載の携帯電気機器用充電台であって、さらに、
前記弾性部材(11)を前記載置部(4)側に押圧する押圧力を調整可能な押圧力調整手段(20)を備えることを特徴とする携帯電気機器用充電台。
【請求項３】
請求項２に記載の携帯電気機器用充電台であって、
前記弾性部材(11)及び押圧力調整手段(20)が、前記球状体(7)を押圧する圧力を、前記球状体(7)が外力により前記球状受体(8)及び押圧体(9)との表面を摺動して所望の角度に調整可能であると共に、外力を受けない状態で、前記球状体(7)が前記球状受体(8)及び押圧体(9)との接触面の摩擦力によって回転を静止されるよう調整されてなることを特徴とする携帯電気機器用充電台。
【請求項４】
請求項２又は３に記載の携帯電気機器用充電台であって、
前記球状可動部(5)がボールジョイントで構成され、
前記弾性部材(11)がスプリングで構成され、
前記押圧力調整手段(20)が、アジャスタねじで構成されてなることを特徴とする携帯電気機器用充電台。
【請求項５】
請求項１から４のいずれか一に記載の携帯電気機器用充電台であって、
前記ベース部(2)の形状の少なくとも一部が、前記載置部(4)の一部であって前記ベース部分(2)と接触するエッジ部分(13)の、ベース部(2)に対する軌跡に沿う形状に形成されてなることを特徴とする携帯電気機器用充電台。
【請求項６】
請求項５に記載の携帯電気機器用充電台であって、
前記載置部(4)を回転させて載置部(4)の隅部(14)と前記ベース部(2)の隅部(12)が接触する状態で、前記載置部(4)又はベース部(2)の少なくとも一方が、互いの接触部分を面取りしてなることを特徴とする携帯電気機器用充電台。
【請求項７】
請求項６に記載の携帯電気機器用充電台であって、
前記載置部(4)の、前記連結軸(6)との取り付け位置から端縁(4a)までの長さが、前記アーム部(3)よりも長いことを特徴とする携帯電気機器用充電台。
【発明の詳細な説明】
【技術分野】
【０００１】
本発明は、携帯電話機等の電気機器をセットして充電する機能を備える充電台に関する。
【背景技術】
【０００２】
携帯電話機やＰＤＡ等の携帯型電気機器を充電するために、充電台が使用される。例えば携帯電話機の充電台は、商用電源に接続されて給電され、設置面に携帯電話機をセットして電気接点を接続することで、商用電源を変圧して充電する。また、このような充電台の中には、携帯電話機を所望の姿勢で保持し、液晶などの携帯電話機の表示画面を見やすくするためのスタンドとしての機能を備えるものがある。特に近年は携帯電話機にＴＶ機能付き、あるいは音楽や動画再生機能を備えるものが増えている。このような場合、スタンドにセットした状態で携帯電話機を使用することも多い。
【０００３】
しかしながら、携帯電話機は一般に縦長の姿勢で使用することを前提に設計されており、例えばウェブブラウザの閲覧や電子メールの作成には、縦置きの姿勢で使用するため、スタンドにセットした状態でも縦長に置く必要がある。一方、ＴＶ画面は基本的に横長であるため、携帯電話機の縦長のモニタで視聴すると横幅が狭くなり画面が小さくなる。特に地上デジタル放送で標準採用されている１６：９等のワイド画面のアスペクト比では更に横長となり、そのままでは携帯電話機の表示画面の使用効率が悪い。そこで、携帯電話機を横に寝かせた状態での視聴とすることで、画面を効率的に使ったＴＶ視聴が可能となる。このため、携帯電話機スタンドは、縦置き、横置きのいずれの姿勢でも使用できるようにしたもの、携帯電話機のモニタ画面が斜めになるように携帯電話機スタンド自体が斜めに傾斜して保持される構造にしたものが、販売されている。
【特許文献１】特開２００３−３４８２０９号公報
【発明の開示】
【発明が解決しようとする課題】
【０００４】
さらに、回転機構等については、ユーザが自由な姿勢で携帯の画面を見やすくできるように、角度を連続的に変化させ、任意の姿勢に調整可能なボールジョイントを利用した充電台スタンドを、本出願人は検討している。この充電台は、ボールジョイントにより任意の角度に調整できるが、所望の姿勢で手を離した状態で固定するための固定機構が必要となる。一般には、充電台以外のボールジョイントを利用したもの（例えば、カメラの三脚）において、固定機構としてねじを用いているものが多い。この充電台は、ねじを緩めた状態でボールジョイントを用いて所望の姿勢に位置決めした後、ねじを締めて固定する。
【０００５】
しかしながら、この構成では姿勢を変更する度に、一々ねじを緩めた上で姿勢を調整し、さらにねじを締めて固定するという作業が必要になり、手間がかかる。特に、このようなねじは小さいため、細かな作業が必要となる。加えて、ねじを緩めすぎるとねじがはずれることもあり、ねじが小さいことも相俟って紛失する虞もあった。
【０００６】
本発明は、このような問題を解決すべく鋭意研究を続けた結果、本発明をなすに至った。本発明の一の目的は、載置面を所望の姿勢に容易に調整できると共に、特別な操作無く調整後の姿勢を保持できる携帯電気機器用充電台を提供することにある。
【課題を解決するための手段及び発明の効果】
【０００７】
上記の目的を達成するために、本発明の携帯電気機器用充電台は、携帯電気機器を充電するための充電台であって、充電台を設置するための略平面の接触面を形成したベース部２と、ベース部２の接触面の背面側から突出させたアーム部３と、アーム部３と回転自在に連結され、携帯電気機器を載置するための載置面を形成した載置部４と、を備えることができる。また、アーム部３は、載置部４を任意の姿勢で保持するための球状可動部５を内蔵しており、球状可動部５は、載置部４と球状可動部５とを連結するための連結軸６を固定した球状体７と、アーム部３の内面に固定され、球状体７の表面と面接触される球状受体８と、球状受体８と対向する位置に配置されて、球状体７の表面と面接触される押圧体９であって、球状受体８と押圧体９との間で球状体７を狭持することにより球状体７を保持する押圧体９と、押圧体９を載置部４側に押圧する弾性部材１１と、を備えることができる。これにより、載置部を所望の姿勢に調整できると共に、調整後の姿勢を特別なロック機構を操作することなく保持できるので、使い勝手に優れたスタンドとして携帯電気機器用充電台を利用できる利点が得られる。
【０００８】
また携帯電気機器用充電台は、さらに、弾性部材１１を載置部４側に押圧する押圧力を調整可能な押圧力調整手段２０を備えることができる。これにより、弾性部材の特性ばらつきや経年劣化等による押圧力の変化を押圧力調整手段で調整して、一定の圧力で押圧体を付勢した状態に維持し、載置部の角度調整力を均一に維持できる。
【０００９】
さらに携帯電気機器用充電台は、弾性部材１１及び押圧力調整手段２０が、球状体７を押圧する圧力を、球状体７が外力により球状受体８及び押圧体９との表面を摺動して所望の角度に調整可能であると共に、外力を受けない状態で、球状体７が球状受体８及び押圧体９との接触面の摩擦力によって回転を静止されるよう調整されてなることを特徴とする。これにより、ユーザは手で載置部を直接操作して所望の姿勢に調整できる一方、手を離した状態で載置部の姿勢が維持されるため、使い勝手に優れたスタンドとして携帯電気機器用充電台を利用できる。
【００１０】
さらにまた携帯電気機器用充電台は、球状可動部５がボールジョイントで構成され、弾性部材１１がスプリングで構成され、押圧力調整手段２０が、アジャスタねじで構成することができる。これにより、アジャスタねじをねじ込むことで容易にスプリングの押圧力を調整できるので、スプリングの特性ばらつきや経年劣化等による押圧力の変化を調整して、一定の圧力で押圧体を付勢してボールジョイントの可動及び静止を一定に維持できる。
【００１１】
さらにまた携帯電気機器用充電台は、ベース部２の形状の少なくとも一部が、載置部４の一部であってベース部分２と接触するエッジ部分１３の、ベース部２に対する軌跡に沿う形状に形成できる。これにより、載置部とベース部との接触位置がベース部の外周となるため、載置部がベース部に接触した状態で回転させても、ベース部の表面に載置部のエッジ部分により傷が付けられる事態を回避できる。
【００１２】
さらにまた携帯電気機器用充電台は、載置部４を回転させて載置部４の隅部１４とベース部２の隅部１２が接触する状態で、載置部４又はベース部２の少なくとも一方が、互いの接触部分を面取りしてなることを特徴とする。これにより、載置部とベース部との接触位置が点状態でなく面状態となるため、載置部がベース部に接触した状態で回転させても、載置部のエッジ部分によりベース部の表面に傷が付けられる事態を回避できる。
【００１３】
さらにまた携帯電気機器用充電台は、載置部４の、連結軸６との取り付け位置から端縁４ａまでの長さが、アーム部３よりも長いことを特徴とする。これにより、充電台の重心を低くして、携帯電気機器を載置した状態でも安定させることができる。
【発明を実施するための最良の形態】
【００１４】
以下、本発明の実施の形態を図面に基づいて説明する。ただし、以下に示す実施の形態は、本発明の技術思想を具体化するための電池パックを例示するものであって、本発明は電池パックを以下のものに特定しない。また特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１５】
図１〜図８に、本発明の一実施の形態に係る携帯電気機器用充電台１（以降、単に「充電台１」と記すこともある。）を示す。なお、図１〜図８に示す携帯電気機器用充電台１において、同様の構成要素については同符号を付して、その詳細な説明を省略している。これらの図において、図１は載置部を縦置き姿勢とした斜視図、図２は横置き姿勢とした斜視図、図３は背面から見た斜視図、図４は載置部を水平姿勢とした斜視図、図５は上面から見た平面図であり、さらに図６は図５のＶＩ−ＶＩ’線における垂直断面図、図７は図５のＶＩＩ−ＶＩＩ’線における垂直断面図、図８は載置部を縦置き姿勢とした側面図をそれぞれ示す。
【００１６】
これらの図に示す充電台１は、充電台１を設置するための略平面の接触面２ａを形成したベース部２と、ベース部２の接触面２ａの背面側から一体的に突出させたアーム部３と、アーム部３と回転自在に連結され、図２に示すように、携帯電気機器Ｋを載置するための載置面４ｂを形成した載置部４とを有する。また、この充電台１は、図６及び図７に示すように、載置部４に携帯電気機器Ｋをセットした状態で、載置部を任意の姿勢に保持するよう、球状可動部５をアーム部３に内蔵している。以下、各部材について詳細に記す。
【００１７】
（載置部）
携帯電気機器Ｋが載置される載置部４は、外部から得た電力を携帯電気機器の充電電力に変換して供給するための充電回路を内蔵している。図３に示す例では、商用電源と接続するための電源プラグ１５を備えている。電源プラグ１５は、好ましくは別部材で構成され、コネクタ１６を介して載置部４と接続される。図３の例では、電源プラグ１５側に変圧回路を備えており、ＡＣ１００ＶをＤＣ５〜６Ｖに変換してコネクタ１６から載置部に給電される。また、図１、図２に示すように、充電台１の載置部４における載置面４ｂには、携帯電気機器に給電可能な金属接点４ｃが設けられており、載置部４にセットされた携帯電気機器は、この金属接点４ｃを介して給電される。さらに、充電台１の載置面４ｂ上であって、載置部４の略矩形状を構成する各々の辺には、少なくとも一の突起部１８が設けられている。各辺の対向する突起部１８の離間距離は、携帯電気機器を構成する長辺及び短辺にほぼ等しい。これにより、突起部１８の内面側と携帯電気機器の外面側が当接するように載置面４ｂ上にセットされた携帯電気機器は、これらの突起部１８でもって、その四辺を係止されて固定されるため、脱落を防止できる。また、対向する突起部１８同士は、互いにずらした位置に形成されることが好ましい。これにより携帯電気機器を均衡に支持できるため、一層の固定が図られる。特に、後述するように携帯電気機器を載置した状態で載置部４を回動させるため、どのような姿勢としても確実に保持できる構造が好適である。
【００１８】
（携帯電気機器）
載置部の載置面にセットする携帯電気機器としては、携帯電話機やＰＤＡ、スマートフォン、ページャ、電子辞書等が利用できる。好ましくは、ＴＶ等の動画を視聴可能な機器とする。ここでは、ＴＶ受信可能な携帯電話機用の充電スタンドを例として説明する。
【００１９】
（アーム部）
図６及び図７に示すように、載置部４と連結されるアーム部３は、中空の筒状構造に形成されており、ベース部２の背面からほぼ垂直に突出するよう固定されている。さらに、アーム部３の先端は、その内部に当座で回転可能な球状可動部５が構成されており、この球状可動部５に載置部４を連結することで、載置部４を回動自在に屈曲できる。
【００２０】
また、球状可動部５は、載置部４と球状可動部５とを連結するための連結軸６を固定した球状体７と、アーム部３の内面に固定され、球状体７の表面と面接触される球状受体８と、球状受体８と対向する位置に配置されて、球状体７の表面と面接触される押圧体９を備える。つまり、球状受体８と押圧体９との間に球状体７を狭持して、球状体７を保持する。さらにアーム部３の内部には、押圧体９を載置部４側に押圧する弾性部材１１を有する。なお、本明細書において、軸方向とは、ベース部２の主面である接触面２ａを基準にした垂直方向をいう。
【００２１】
図６及び図７に図示される充電台１において、球状可動部５はボールジョイントにて構成されている。また、押圧体９は、アーム部３に内蔵され、球状体７に当接する押圧部９ａと、側面を構成する筒状のガイド筒部９ｂとを備える。さらに、押圧体９は、球状体７の外形とほぼ一致させた球面を少なくとも一部に備える。ガイド筒部９ｂは、軸方向に開口した空洞部が内部に形成されており、この内部には弾性部材１１としてのスプリングが配設されている。言い換えると、スプリング１１は、ガイド筒部９ｂの側面によって、その伸縮方向がガイドされる。また、図６及び図７のスプリング１１は、空洞部内において、押圧部９ａから下方向へと突出された突出部２２に挿通されており、これにより、スプリング１１の一端（図６及び図７の上方）は押圧部９ａと連結される。一方、スプリング１１の他端（図の下方）は、位置が固定された弾性体受け２１と連結される。また、押圧体９は、スプリング１１の伸縮により、軸方向に移動可能に構成される。この構造により、押圧体９の内部に配置されたスプリング１１は、バネの復元力により、押圧部９ａを介して押圧体９を載置部４側へと押圧可能にする。なお、押圧部９ａ、ガイド筒部９ｂ及び突出部２２は、一体に構成することで、部品の点数を削減し製造工程の簡易化が図れる。このように、図６及び図７における押圧部９ａが、弾性部材１１の伸縮により軸方向に移動できる構造であれば、押圧部、ガイド筒部及び突出部は別個の部材でも一体でも構わない。
【００２２】
また、図６及び図７における突出部２２は、水平断面が十字状となる形状としている。但し、突出部２２の水平断面における形状は、十字状に限定されず、円状、四角形状、多角形状など任意とでき、さらに、中空、中実を問わない。
【００２３】
さらに、充電台１は、弾性体受け２１の裏面側（図６及び図７の下方）に、押圧力調整手段２０を備える。この押圧力調整手段２０でもって、弾性部材１１であるスプリングを載置部４側に押圧する押圧力を調整できる。具体的に、図の押圧力調整手段２０では、アジャスタねじを採用しており、アジャスタねじ２０の進行側における先端が弾性体受け２１に当接して、弾性体受け２１を支持・固定する。これにより、アジャスタねじ２０の進行量に応じてスプリング１１の伸縮量が決定され、すなわちスプリング１１の一端と連結される押圧部９ａへの押圧力、ひいては球状体７及び球状受体７への押圧力が定まる。
【００２４】
また、図６及び図７の例では、ベース部２の裏面側に、断面が台形状に形成されたプレート２００を備える。またプレート２００の、中央部に形成された凹み領域に、ねじ穴２０１が形成されており、このねじ穴２０１に、アジャスタねじ２０が螺合されてプレート２００と連結される。この構造により、アジャスタねじ２０のねじ頭が、プレート２００の裏側における凹み内に収納されて、ベース部２の底面側より突出されない。
【００２５】
また、押圧部９ａにおいて、スプリング１１と当接される主面と対向する他方の主面側は、球状体７と面接触可能な形状に構成されており、具体的には球状体７の球状の外面と当接可能な球面状の凹部を有する。また、球状体７は、押圧部９ａとの当接側と対向する側（図６及び７の上方）から、設置部４側へと突出した棒状の連結軸６を有する。連結軸６は、図４に示すように、アーム部３の先端側（載置部４との連結側）に設けられた開口窓部１７を貫通しており、この開口窓部１７領域で揺動自在に可動する。
【００２６】
また、図６及び図７に示すように、連結軸６の先端部は載置部４と連結され固定される。すなわち載置部４は、連結軸６の揺動に伴って可動できる。言い換えると、載置部４の傾斜可能な領域は、連結軸６の可動範囲に依存する。ひいては連結軸６の揺動範囲を制御する開口窓部１７の開口量によって決定される。したがって、開口窓部１７の開口面積は特に限定されず、載置部４の所望の傾斜角度を考慮して適宜決定できる。
【００２７】
また、連結軸６の回動可能な傾斜角度は限定されず、通常の充電台１を使用する際において、携帯電気機器の画面を視認しやすい角度幅でもって回動される。例えば、図４及び図６の開口窓部１７は、連結軸６が略上下方向に略直角分だけ回動移動できる開口としている。具体的に、図４〜図７の充電台１では、連結軸６が開口窓部１７の縁部と当接する回動限界地点での状態を図示しており、連結軸６が、アーム部３のガイド筒部９ｂにおける軸方向と同一方向（図４及び図６の上下方向）に位置する。このとき、載置部４の載置面４ｂは、ベース部２の主面である接触面２ａと略平行に位置しているため、携帯電気機器を載置面４ｂにセットしやすい。さらに載置部４は、球状体７を中心とする円弧の軌跡状に回動できる。例えば図４の載置部４では、ガイド筒部９ｂと略同一の軸方向を有する際の連結軸６の方向を基準として、略９０°下方に回動できる。
【００２８】
さらに、図６及び図７に示すように、球状体７において、球状受体８との当接側と対向する側（図の上側）は、球状受体８を介して、アーム部３の先端部の内面と当接する。球状受体８は、球状体７と摺動可能に面接触しており、双方の当接領域において、球状受体８は球状体７の外面形状に沿う形状に構成されている。
【００２９】
これにより、連結軸６が所望の角度に屈曲された状態において、いかなる傾斜角度においても、球状体７は、その略上下の外周面にて押圧体９及び球状受体８と摺動可能に接面される。加えて、球状体７における双方との接触面にて摩擦が生じるため、抵抗力が増し、連結軸６を所望の角度に保持できる。つまり連結軸６と連結された載置部４を自在な姿勢とでき、傾斜の調節後も当接面でのグリップにより姿勢を維持できる。すなわち傾斜角度を維持する別個のロック機構を要さずして、自在な姿勢を保持できる。
【００３０】
また、押圧体９は、樹脂製とすることで軽量かつ安価となるため好ましい。ただ、球状体７とアーム部３に狭着された際に生じる、双方との摩擦の大きさを考慮して素材を適宜選択できる。例えばゴム状とすれば、球状体７とアーム部３に狭着された際の、双方との摩擦が増加し、すなわち接触抵抗が大きくなるためグリップが増す。言い換えると、載置部４の所望の姿勢を保持しやすくなる。また、摩擦力の設定は、ユーザが載置部４を容易に動かすことができ、ユーザが応力を解除した際、載置部４の姿勢が保持される程度とする。
【００３１】
また球状体７は樹脂により形成されており、これにより軽量、安価に構成できる。ただ、金属製とすることもでき、これにより耐久性が増す他、樹脂製と比較して重量が大きくなるため、アーム部３の重力が増し、これによりアーム部３のスタンド状態が安定する。
【００３２】
（アジャスタねじ）
また、弾性部材１１であるスプリングと連結する押圧力調整手段２０は、このスプリング１１を載置部４側へと押圧するための押圧力を調整できる。図の充電台１では、押圧力調整手段２０として、アジャスタねじを使用している。アジャスタねじ２０を進行させると、ねじの先端に当接する弾性体受け２１が、載置部４側（図６及び図７の上方）へと移動する。これにより、スプリング１１が収縮され、スプリング１１のアジャスタ板１９及び押圧部９ａに対する押圧力が増す。このスプリング１１の付勢により、押圧体９が球状体７を押圧するため、球状体７と球状受体８との密着性が高まる。つまり、球状受体８と押圧体９との間で球状体７を狭持する力が強まり、球状体７の保持力が高まるため、球状可動部５に連結された載置部４の姿勢を維持できる。逆にアジャスタねじ２０を後退させると、スプリング１１による押圧力が弱められる。このように、アジャスタねじ２０を回転させることで、スプリング１１の押圧力、すなわち球状体７の回転を阻止する力を調整できる。このため、スプリング１１の個体差や経年劣化による押圧力のばらつきを吸収して、一定の押圧力に調整することができる。
【００３３】
（ベース部）
また、図８に示すように、ベース部２は、充電台１を設置する設置面２ａを備える、略平板状の基台である。ベース部２は、充電台１を安定して支持するよう、一定の大きさに形成される。また、ベース部２にウェイトを持たせることで一層安定性が増す。さらに背面からはアーム部３を突出させている。図８等の例では、アーム部３をベース部２の背面のほぼ中央から垂直に突出させている。ただ、アーム部３の位置は中央部に限られず、偏心させてもよい。またベース部２の形状も円状に限られず、半円状、楕円状等、任意の形状とできる。ただ、後述する干渉防止機構を備える場合は、少なくとも端縁が円弧状の部分を有する。
【００３４】
（ベース部表面の保護）
裁置部が回転又はスイーベル機構を有する充電台は、自由に回転若しくは旋回する載置部の先端がベース部と干渉するため、ベース部の表面をエッジで傷付けることがあった。特に携帯電話機は縦置きで使用することが多く、縦置きの姿勢にすると載置部のエッジが載置部を支えるベース部に接触しやすくなる。このため、図９に示すように載置部１０４のエッジ部分１０３が、ベース部１０２に接触したままで回転、旋回させると、エッジ部分１０３やコーナー部分１０５でベース部１０２の表面に傷が付きやすい。
【００３５】
この問題を回避するには、支持部１０６の長さを長くすることが考えられる。しかしながら、支持部１０６を長くするほど充電台１０１の重心が上側にシフトしてバランスが悪くなる。すなわち、携帯電話機を載置した状態で充電台１０１が自立し難くなるという問題があった。
【００３６】
そこで本実施の形態では、図８等に示すように、ベース部分２の外周の少なくとも一部を、載置部４とベース部２の接触点の軌跡に沿うように予め設計しておく。すなわち、ベース部２の少なくとも一部は、載置部４のエッジ部分１３が、ベース部分２と接触する際の軌跡に沿う形状に形成されている。この際、図８に示すように、裁置部４の背面４ｅがベース部２と接触する。
【００３７】
また、載置部４において、連結軸との取り付け位置である長手方向の中心４ｄから、端縁４ａまでの長さＬは、アーム部３の長さＨよりも長い。これにより、図８に示すように、載置部４を縦置きの姿勢で旋回させようとすると、ベース部分の端縁２ｂと、載置部４の背面４ｅが接触するように構成できる。すなわち、載置部４のエッジ部分１３が、ベース部２の表面２ｃに接触するのを抑制できるため、露出されたベース部の表面２ｃがエッジ部分１３の尖端で損傷するのを防止できる。
【００３８】
また、図８に示すように、載置部４の隅部１４と、ベース部２の隅部１２とが接触する状態で、載置部４とベース部２とが当接する部分の、少なくとも一方の部材を面取りすることができる。例えば、載置部４の、ベース部２と接触する側のエッジ部分１３を面取りすると共に、図３、図８に示すように、ベース部２の対応するエッジ部分２ｂを面取りすることによって、載置部４とベース部２の接触部分が点状から面状となるため、更に傷付き難くできる。
【産業上の利用可能性】
【００３９】
本発明の携帯電気機器用充電台は、携帯電話機やＰＤＡ等、携帯型電気機器の充電用スタンドとして好適に適用できる。
【図面の簡単な説明】
【００４０】
【図１】実施の形態に係る携帯電気機器用充電台を示す斜視図である。
【図２】実施の形態に係る携帯電気機器用充電台を示す別の斜視図である。
【図３】実施の形態に係る携帯電気機器用充電台を示す別の斜視図である。
【図４】実施の形態に係る携帯電気機器用充電台を示す別の斜視図である。
【図５】実施の形態に係る携帯電気機器用充電台を示す平面図である。
【図６】図５のＶ−Ｖ’線における垂直断面図である。
【図７】図５のＶＩ−ＶＩ’線における垂直断面図である。
【図８】実施の形態に係る携帯電気機器用充電台を示す側面図である。
【図９】従来の携帯電気機器用充電台を示す斜視図である。
【符号の説明】
【００４１】
１、１０１…携帯電気機器用充電台
２、１０２…ベース部
２ａ…ベース部の接触面
２ｂ…ベース部の端縁
２ｃ…ベース部の表面
３…アーム部
４、１０４…載置部
４ａ…載置部の端縁
４ｂ…載置部の載置面
４ｃ…金属接点
４ｄ…載置部の長手方向における中心
４ｅ…載置部の背面
５…球状可動部（ボールジョイント）
６…連結軸
７…球状体
８…球状受体
９…押圧体
９ａ…押圧部
９ｂ…ガイド筒部
１１…弾性部材（スプリング）
１２…ベース部の隅部
１３、１０３…載置部のエッジ部分
１４…載置部の隅部
１５…電源プラグ
１６…コネクタ
１７…開口窓部
１８…突起部
１９…アジャスタ板
２０…押圧力調整手段（アジャスタねじ）
２１…弾性体受け
２２…突出部
１０５…コーナー部分
１０６…支持部
２００…プレート
２０１…穴
Ｈ…アーム部の長さ
Ｋ…携帯電気機器
Ｌ…載置部の長手方向における中心から端縁までの長さ
【図１】
2008311851.tif 000003
【図２】
2008311851.tif 000004
【図３】
2008311851.tif 000005
【図４】
2008311851.tif 000006
【図５】
2008311851.tif 000007
【図６】
2008311851.tif 000008
【図７】
2008311851.tif 000009
【図８】
2008311851.tif 000010
【図９】
2008311851.tif 000011